(57)【特許請求の範囲】
【請求項１】
自動販売機などのコイン処理装置に着脱可能に設けられ、投入されたコインを収納するコイン収納装置において、
各種コインを収納するための複数の溝を有する本体ケースと、
前記本体ケースの各溝と協同してコインチューブを形成するカバーと、
前記カバーの上部に開閉可能に設けられ、閉じたときには前記コインが投入可能な程度の隙間を開けて前記各コインチューブの上側開口部分を保護する一方、開いたときには前記上側開口部を解放する補助カバーと、
を有することを特徴とするコイン収納装置。
【請求項２】
前記補助カバーを前記閉じる方向に付勢する弾性部材を有することを特徴とする請求項１記載のコイン収納装置。
【請求項３】
前記補助カバーを押し開くためのスイッチ部を有することを特徴とする請求項１記載のコイン収納装置。
【請求項４】
前記各コインチューブの側面の大部分を開放可能にする開放カバーを前記カバーに取り付け、かつ前記開放カバーに前記補助カバ−を取り付けたことを特徴とする請求項１記載のコイン収納装置。
【発明の詳細な説明】
【０００１】
【発明の属する技術分野】
本発明は自動販売機などのコイン処理装置に設けられ、投入されたコインを収納するコイン収納装置に関し、特に着脱可能に設けられるコイン収納装置に関する。
【０００２】
【従来の技術】
従来、自動販売機などに内蔵されるコイン処理装置には、投入されたコインを収納しておくコイン収納装置が設けられている。このコイン収納装置には、各種コイン専用のコインチューブが形成されており、コイン処理装置上部のコインセレクタで振り分けられたコインがそれぞれ収納されるようになっている。
【０００３】
従来、このようなコイン収納装置では、各コインチューブが別体に設けられていた。また、コイン収納装置自体がコイン処理装置に固定されていた。このため、コイン収納装置からコインを回収する場合には、カバーを取り外すか払い出し装置を駆動することにより各コインチューブから回収コインを取り出す必要があり、作業が面倒であった。
【０００４】
そこで、最近では、コインチューブを一体化し、コイン処理装置から容易に着脱可能としたコイン収納装置がある。このコイン収納装置ならば、装置ごと持ち運びが可能なので、回収作業も簡単である。
【０００５】
【発明が解決しようとする課題】
しかし、上述の取り外し可能なコイン処理装置では、コインチューブの上側部分が解放されているため、持ち運びのときにコインが外へ飛び出してしまうおそれがあった。この対策として、上側開口部がコインの面積よりも小さくなるように少し塞ぎ、投入するときには、ややコインを傾けてコインチューブ内に収納するようにしたものがある。こうすれば、コインチューブ内でコインは平積みされているので、開口部から外に飛び出しにくくなる。ところが、コインを回収するときには、この開口部を塞いでいる部分が邪魔になり、作業効率が悪いという問題があった。
【０００６】
本発明はこのような点に鑑みてなされたものであり、コインの飛び出しを防止でき、かつ回収作業が簡単なコイン収納装置を提供することを目的とする。
【０００７】
【課題を解決するための手段】
本発明では上記課題を解決するために、自動販売機などのコイン処理装置に着脱可能に設けられ、投入されたコインを収納するコイン収納装置において、各種コインを収納するための複数の溝を有する本体ケースと、前記本体ケースの各溝と協同してコインチューブを形成するカバーと、前記カバーの上部に開閉可能に設けられ、閉じたときには前記コインが投入可能な程度の隙間を開けて前記各コインチューブの上側開口部分を保護する一方、開いたときには前記上側開口部を解放する補助カバーと、を有することを特徴とするコイン収納装置が提供される。
【０００８】
このようなコイン収納装置では、本体ケースの溝とカバーとが協同して形成された各コインチューブ内にコインが投入される。このとき、コインチューブの上側開口部は、補助カバーによって保護されているが、隙間からコインをコインチューブ内に投入することができる。そして、一旦コインチューブ内に収納されたコインは、補助カバーの作用により、コイン収納装置を持ち運ぶときに容易に外に飛び出すことがない。
【０００９】
その一方、コインチューブ内のコインを回収するときには、補助カバーを開くことにより、上側開口部が解放されるので、コイン収納装置を逆さにすれば、容易にコインを取り出すことができる。
【００１０】
【発明の実施の形態】
以下、本発明の実施の形態を図面を参照して説明する。
図２は本形態のコイン収納装置の外観構成を示す正面図である。また、図３は図２のコイン収納装置の上面図、図４は図２のコイン収納装置の右側面図、さらに図５は図２のコイン収納装置の左側面図である。コイン収納装置１０は、図示されていないコイン処理装置（いわゆるコインメカニズム）に着脱可能に取り付けられ、収納コインは釣銭として払い出される。
【００１１】
このコイン収納装置１０は、各図２〜４に示すように、概ね本体ケース１１およびカバー１２で形成されている。
本体ケース１１には、図３に示すように、５本の半円形の溝１１ａ，１１ｂ，１１ｃ，１１ｄ，１１ｅが形成されている。一方、カバー１２にも、半円形の溝１２ａ，１２ｂ，１２ｃ，１２ｄ，１２ｅが、それぞれ溝１１ａ，１１ｂ，１１ｃ，１１ｄ，１１ｅと対向するように形成されている。また、それぞれ対向する溝どうしが協同して、コインチューブ２１，２２，２３，２４，２５を形成している。
【００１２】
コインチューブ２１，２２，２３，２４は、例えばそれぞれ５００円玉、１００円玉、１０円玉、５０円玉用のコインチューブである。一方、コインチューブ２５は、予備用の手動補給コインチューブで他のチューブ２１〜２４より長く形成され、例えば釣銭用の１０円又は１００円コインを収納しておくために用いられる。各コインチューブ２１〜２４には、上方に設けられた図示されていないコインセレクタから振り分けられたコインＣ１（図２参照）が自動補給され、平積みされる。
【００１３】
カバー１２は、図２に示すように、下側の固定部１２１と、中間部の開放カバー１３と、上部の補助カバー１４とから構成されている。開放カバー１３の両側面には、それぞれ取り付け片１３１，１３２が形成されている。開放カバー１３は、これら取り付け片１３１，１３２を介して、固定部１２１に軸支されている。開放カバー１３は、両側のツマミ１３３，１３４を持つことにより、図２の前後方向に開閉可能となっている。
【００１４】
開放カバー１３の上部には、補助カバー１４が取り付けられている。補助カバー１４の一端部には、取り付け片１４１が形成されている。補助カバー１４は、この取り付け片１４１を介して開放カバー１３に軸支されている。また、補助カバー１４は、図２に示すように、開放カバー１３の取り付け部１３５に取り付けられたバネ１４１ａによって、閉じる方向に付勢されている。この付勢力は、後述するように、コインの重みを受けたときには十分に補助カバー１４が開く程度に設定されている。
【００１５】
また、補助カバー１４の取り付け片１４１と反対側の端部には、レバー１４２が形成されている。このレバー１４２の端部のスイッチ部１４２ａは、図２の手前側に適度な角度だけ屈曲している。このため、スイッチ部１４２ａを押すと、図４に示す屈曲部１４２ｂが開放カバー１３を押すので、補助カバー１４を開くことができる。
【００１６】
補助カバー１４の上側端部には、図３に示すように、コインチューブ２１，２２，２３，２４の上側面を適度に覆う保護部１４ａ，１４ｂ，１４ｃ，１４ｄが形成されている。ただし、保護部１４ａ，１４ｂ，１４ｃ，１４ｄの侵入量は、各コインチューブ２１，２２，２３，２４の断面の半分よりも少なくなるように設定されている。これにより、コインＣ１の直径分の隙間が確保されるので、コインＣ１がどのような角度で落下してきても、確実に各コインチューブ２１，２２，２３，２４内に収納される。
【００１７】
次に、このような構成を有する本形態のコイン収納装置１０の動作について説明する。
図６はコイン収納動作時の状態を示すコイン収納装置１０の側断面図である。ここでは、例えばコインチューブ２３部分を断面にした状態を示している。コイン収納動作のときは、カバー１２の開放カバー１３および補助カバー１４は閉じられている。上方のコインセレクタから投下されたコインＣ２は、開口部２３ａからコインチューブ２３内に収納される。このとき、コインＣ２は、その面がカバー１２側を向いて落下してくるので、十分に開口部２３ａを通過することができる。開口部２３ａを通過したコインＣ２は、コインチューブ２３内に平積みされる。
【００１８】
一旦コインチューブ２３内に収納されたコインＣ２は、補助カバー１４の保護部１４ｃで保護されるので、コイン収納装置１０を運ぶときに揺れても、コインチューブ２３から飛び出すことが防止される。
【００１９】
なお、他のコインチューブ２１，２２，２４についても、同様の動作および効果が得られる。
次に、収納されたコインを回収するときの動作について説明する。
【００２０】
図７はコインを回収するときのコイン収納装置１０の動作状態を示す側面図である。コインを回収するときは、コイン収納装置１０を逆さにすると、各コインチューブ内のコインの重みで補助カバー１４が図のように開く。コインの重みだけでは補助カバー１４が十分に開かないときには、レバー１４２のスイッチ部１４２ａを押すことにより、容易に開くことができる。
【００２１】
図１は実際にコイン収納装置１０を逆さにしたときのコインの回収動作を示す側断面図である。なお、ここでは、図６と同様に、コインチューブ２３部分を断面にした状態を示している。前述したように、コイン収納装置１０を逆さにすると、コインＣ２の重みにより、図２で示したバネ１４１ａの付勢力に抗して、補助カバー１４が開く。これにより、開口部２３ａの保護部１４ｃにより塞がれていた部分が開放されるので、コインＣ２は簡単にコインチューブ２３から落下し、容易に回収することができる。
【００２２】
コインの回収後は、バネ１４１ａの力により、補助カバー１４は自動的に閉じられ、図４などのような状態に戻る。よって、補助カバー１４の閉め忘れによるコインのこぼれなどを防止することができる。
【００２３】
次に、コインチューブ内でコインが詰まるなどの不具合が発生した場合の処置について説明する。
コイン収納装置１０において、コインチューブ内でコインが詰まるなどの不具合が発生した場合には、図２で示したツマミ１３３，１３４を掴んで引っ張る。すると、図８に示すように、開放カバー１３が開き、コインチューブ２１，２２，２３，２４，２５内部の大部分が開放される。
【００２４】
図９は開放カバー１３を開いた状態を示す側断面図である。なお、ここでは、コインチューブ２３部分を断面にした状態を示している。コインチューブ２３内で例えばコインＣ３が立った状態で収納されたときなどは、コインの詰まりが発生し、それ以後のコイン収納動作が不良となる。そこで、図のように開放カバー１３を開くと、不具合の要因となっているコインＣ３などを取り出すことができるので、簡単に不具合を解消できる。
【００２５】
【発明の効果】
以上説明したように本発明では、本体ケースの各溝と協同してコインチューブを形成するカバーの上部に、コインが投入可能な程度の隙間を開けて各コインチューブの上側開口部分を保護する一方、開いたときには上側開口部を解放する補助カバーを設けるようにしたので、一旦コインチューブ内にコインを収納すれば、補助カバーの作用により、コイン収納装置を持ち運ぶときにコインが外に飛び出すことが防止できる。
【００２６】
その一方で、コインチューブ内のコインを回収するときには、補助カバーを開くことにより、上側開口部が解放されるので、コイン収納装置を逆さにすれば、容易にコインを取り出すことができ、作業が簡単となる。
【図面の簡単な説明】
【図１】実際にコイン収納装置を逆さにしたときのコインの回収動作を示す側断面図である。
【図２】本形態のコイン収納装置の外観構成を示す正面図である。
【図３】図２のコイン収納装置の上面図である。
【図４】図２のコイン収納装置の右側面図である。
【図５】図２のコイン収納装置の左側面図である。
【図６】コイン収納動作時の状態を示すコイン収納装置の側断面図である。
【図７】コインを回収するときのコイン収納装置の動作状態を示す側面図である。
【図８】開放カバーを開いた状態を示す側面図である。
【図９】開放カバーを開いた状態を示す側断面図である。
【符号の説明】
１０    コイン収納装置
１１    本体ケース
１１ａ，１１ｂ，１１ｃ，１１ｄ，１１ｅ    溝
１２    カバー
１３    開放カバー
１４    補助カバー
１４ａ，１４ｂ，１４ｃ，１４ｄ    保護部
２１，２２，２３，２４，２５    コインチューブ
２３ａ    開口部
Ｃ１，Ｃ２，Ｃ３    コイン
【図１】
0003632433.tif 000002
【図２】
0003632433.tif 000003
【図３】
0003632433.tif 000004
【図４】
0003632433.tif 000005
【図５】
0003632433.tif 000006
【図６】
0003632433.tif 000007
【図７】
0003632433.tif 000008
【図８】
0003632433.tif 000009
【図９】
0003632433.tif 000010